【手続補正書】
【提出日】平成29年9月12日(2017.9.12)
【手続補正１】
【補正対象書類名】特許請求の範囲
【補正対象項目名】全文
【補正方法】変更
【補正の内容】
【特許請求の範囲】
【請求項１】
レセプタクル内にプラグを保持する装置であって、
レセプタクル本体と、
保持具とを含み、前記保持具はフェース部と少なくとも１つのプロングとを含み、前記少なくとも１つのプロングの各プロングは少なくとも１つのかえしを含み、前記保持具の前記少なくとも１つのプロングの各プロングの前記少なくとも１つのかえしによる前記プラグのシュラウドとの接触によって前記プラグを前記レセプタクル本体内に保持するように前記保持具が構成され、前記保持具の前記少なくとも１つのプロングの各プロングは、前記少なくとも１つのかえしの反対側に位置する隆条を含み、前記レセプタクル本体は、各プロングの前記隆条に接触して前記レセプタクル本体からの前記保持具の脱落を防止するように構成される桟を含む、装置。
【請求項２】
前記レセプタクル本体はレセプタクルを含む、請求項１に記載の装置。
【請求項３】
前記レセプタクルは雌型電気嵌合子を含む、請求項２に記載の装置。
【請求項４】
前記プラグは雄型電気嵌合子を含む、請求項３に記載の装置。
【請求項５】
前記レセプタクルは雄型電気嵌合子を含む、請求項２に記載の装置。
【請求項６】
前記プラグは雌型電気嵌合子を含む、請求項５に記載の装置。
【請求項７】
前記レセプタクル本体は、前記保持具の前記少なくとも１つのプロングに接触して前記少なくとも１つのプロングを前記プラグの前記シュラウドに向けて押しつけるテーパー付きの内壁を含む、請求項１に記載の装置。
【請求項８】
前記保持具の各プロングの前記少なくとも１つのかえしは、前記保持具の前記フェース部が前記レセプタクル本体に向けて押し込まれたときに前記プラグの前記シュラウドを解放するように構成される、請求項１に記載の装置。
【請求項９】
前記保持具は少なくとも４つのプロングを含む、請求項１に記載の装置。
【請求項１０】
各かえしは、前記プロングが前記保持具の前記フェース部から延在するとき、前記プロングから約１２０〜１５０度の角度で各プロングから延在する、請求項１に記載の装置。
【請求項１１】
レセプタクル内にプラグを保持する装置であって、
雌型電気嵌合子を含むレセプタクルを備えるレセプタクル本体と、
保持具とを含み、前記保持具はフェース部と少なくとも４つのプロングとを含み、前記少なくとも４つのプロングの各プロングは前記プロングの第１の側のかえし、および前記プロングの第２の側の隆条を含み、前記保持具の前記少なくとも４つのプロングの各プロングの前記かえしによる前記プラグのシュラウドとの接触によって前記レセプタクル本体内に挿入された前記プラグを保持するように前記保持具が構成され、前記かえしは金属を含む、装置。
【請求項１２】
前記保持具の前記フェース部および前記少なくとも４つのプロングはプラスチックを含む、請求項１３に記載の装置。
【請求項１３】
前記レセプタクル本体は、各プロングの前記隆条に接触して前記レセプタクル本体からの前記保持具の脱落を防止するように構成される桟を含む、請求項１１に記載の装置。
【請求項１４】
前記レセプタクル本体は、前記保持具の前記少なくとも１つのプロングに接触して前記少なくとも１つのプロングを前記プラグの前記シュラウドに向けて押しつけるテーパー付きの内壁を含む、請求項１１に記載の装置。
【請求項１５】
前記保持具の各プロングの前記かえしは、前記保持具の前記フェース部が前記レセプタクル本体に向けて押し込まれたときに前記プラグの前記シュラウドを解放する、請求項１１に記載の装置。
【請求項１６】
各かえしは、前記プロングが前記保持具の前記フェース部から延在するとき、前記プロングから約１２０〜１５０度の角度で各プロングから延在する、請求項１１に記載の装置。
【請求項１７】
インレット機構内にコネクタを保持する装置であって、
雄型電気嵌合子を含むインレット機構と、
保持具とを含み、前記保持具はフェース部と少なくとも４つのプロングとを含み、前記少なくとも４つのプロングの各プロングは前記プロングの第１の側の金属のかえし、および前記プロングの第２の側の隆条を含み、前記保持具の前記少なくとも４つのプロングの各プロングの前記かえしによる前記コネクタのシュラウドとの接触によって前記インレット機構内に挿入された前記コネクタを保持するように前記保持具が構成される装置。
【請求項１８】
レセプタクル内にプラグを保持する装置であって、
レセプタクル本体と、
保持具とを含み、前記保持具はフェース部と少なくとも１つのプロングとを含み、前記少なくとも１つのプロングの各プロングは少なくとも１つのかえしを含み、前記保持具の前記少なくとも１つのプロングの各プロングの前記少なくとも１つのかえしによる前記プラグのシュラウドとの接触によって前記プラグを前記レセプタクル本体内に保持するように前記保持具が構成され、前記保持具の前記少なくとも１つのプロングの各プロングは、前記少なくとも１つのかえしの反対側に位置する隆条を含み、前記レセプタクル本体は、前記保持具の前記少なくとも１つのプロングに接触して前記少なくとも１つのプロングを前記プラグの前記シュラウドに向けて押しつけるテーパー付きの内壁を含む、装置。
【請求項１９】
レセプタクル内にプラグを保持する装置であって、
レセプタクル本体と、
保持具とを含み、前記保持具はフェース部と少なくとも１つのプロングとを含み、前記少なくとも１つのプロングの各プロングは少なくとも１つのかえしを含み、前記保持具の前記少なくとも１つのプロングの各プロングの前記少なくとも１つのかえしによる前記プラグのシュラウドとの接触によって前記プラグを前記レセプタクル本体内に保持するように前記保持具が構成され、前記保持具の各プロングの前記少なくとも１つのかえしは、前記保持具の前記フェース部が前記レセプタクル本体に向けて押し込まれたときに前記プラグの前記シュラウドを解放するように構成される、装置。
【請求項２０】
レセプタクル内にプラグを保持する装置であって、
雌型電気嵌合子を含むレセプタクルを備えるレセプタクル本体と、
保持具とを含み、前記保持具はフェース部と少なくとも４つのプロングとを含み、前記少なくとも４つのプロングの各プロングは前記プロングの第１の側のかえし、および前記プロングの第２の側の隆条を含み、前記保持具の前記少なくとも４つのプロングの各プロングの前記かえしによる前記プラグのシュラウドとの接触によって前記レセプタクル本体内に挿入された前記プラグを保持するように前記保持具が構成され、前記レセプタクル本体は、各プロングの前記隆条に接触して前記レセプタクル本体からの前記保持具の脱落を防止するように構成される桟を含む、装置。
【請求項２１】
レセプタクル内にプラグを保持する装置であって、
雌型電気嵌合子を含むレセプタクルを備えるレセプタクル本体と、
保持具とを含み、前記保持具はフェース部と少なくとも４つのプロングとを含み、前記少なくとも４つのプロングの各プロングは前記プロングの第１の側のかえし、および前記プロングの第２の側の隆条を含み、前記保持具の前記少なくとも４つのプロングの各プロングの前記かえしによる前記プラグのシュラウドとの接触によって前記レセプタクル本体内に挿入された前記プラグを保持するように前記保持具が構成され、前記レセプタクル本体は、前記保持具の前記少なくとも１つのプロングに接触して前記少なくとも１つのプロングを前記プラグの前記シュラウドに向けて押しつけるテーパー付きの内壁を含む、装置。
【請求項２２】
レセプタクル内にプラグを保持する装置であって、
雌型電気嵌合子を含むレセプタクルを備えるレセプタクル本体と、
保持具とを含み、前記保持具はフェース部と少なくとも４つのプロングとを含み、前記少なくとも４つのプロングの各プロングは前記プロングの第１の側のかえし、および前記プロングの第２の側の隆条を含み、前記保持具の前記少なくとも４つのプロングの各プロングの前記かえしによる前記プラグのシュラウドとの接触によって前記レセプタクル本体内に挿入された前記プラグを保持するように前記保持具が構成され、前記保持具の各プロングの前記かえしは、前記保持具の前記フェース部が前記レセプタクル本体に向けて押し込まれたときに前記プラグの前記シュラウドを解放する、装置。